(57)【要約】      （修正有）【課題】使い勝手のよい歯垢観察メガネを提供する。【解決手段】紫光を出すＬＥＤ９と、ＬＥＤの前方側を覆い３８０〜４５０ｎｍの波長を通過させるバンドパスフィルタ１０とからなる光源部１３と、充電可能に構成され、ＬＥＤに給電する電池部１１と、ＬＥＤの点灯と滅灯を行なうオンオフスイッチ６を含む制御部１２と、メガネのレンズ部５を構成し、５００ｎｍより長い波長の光を透過させ、５００ｎｍより短い波長の光を遮断するロングパスフィルタ１４と、が備えられる。【選択図】図１
2017093479.tif 000002
【特許請求の範囲】
【請求項１】
紫光を出すＬＥＤと、前記ＬＥＤの前方側を覆い３８０〜４５０ｎｍの波長を通過させるバンドパスフィルタとからなる光源部と、
充電可能に構成され、前記ＬＥＤに給電する電池部と、
前記ＬＥＤの点灯と滅灯を行なうオンオフスイッチを含む制御部と、
メガネのレンズ部を構成し、５００ｎｍより長い波長の光を透過させ、５００ｎｍより短い波長の光を遮断するロングパスフィルタと、
が備えられることを特徴とする歯垢観察メガネ。
【請求項２】
前記ロングパスフィルタは、２段階の波形の立ち上がりの部分を有することを特徴とする請求項１に記載の歯垢観察メガネ。
【請求項３】
歯の画像を撮像するカメラがさらに設けられ、撮像した画像がパソコンに送信されることを特徴とする請求項１に記載の歯垢観察メガネ。
【発明の詳細な説明】
【技術分野】
【０００１】
本発明は、歯垢観察メガネに係り、より詳しくは、歯の表面に付着した歯垢を観察できる歯垢観察メガネに関する。
【背景技術】
【０００２】
歯垢はデンタルプラークとも呼ばれ、歯の表面に付着する白から黄白色の細菌の塊である。そして虫歯（う蝕）や歯周病を引き起こし、石灰化して歯石となる。歯の観察方法としてはＱＬＦ（Ｑｕａｎｔｉｔａｔｉｖｅ  Ｌｉｇｈｔ  ｉｎｄｕｃｅｄ  Ｆｌｕｏｒｅｓｃｅｎｃｅ）法が知られる。紫光を歯に照射すると、脱灰のない正常な歯は、励起して黄緑色の光を出す。歯のエナメル質が溶け始めた脱灰部などは、蛍光の色が弱く黒っぽく見える。
【０００３】
特許文献１には、照射した近紫外線により励起される蛍光により、歯垢や虫歯などを観察する歯科用無影灯が示される。歯の映像は、撮像素子により撮影され、モニタに表示される。モニタを利用せず歯を直接観察するため、特定波長の光を通すフィルタを備えたメガネが提供される。メガネにより歯を簡易に観察できるが、歯科用無影灯は家庭用の歯のケア装置の光源としては大きい。
【０００４】
特許文献２には、家庭用の歯表面観察装置が示される。ＬＥＤ（光源）、バンドパスフィルタ、透過フィルタ、カメラ、画像処理部、ディスプレイ等を備えるので、画像解析を含む本格的な歯の観察ができる。カメラの前には４２０〜６００ｎｍに光を透過する透過フィルタが設置されている。歯を肉眼で観察できるようにするため、フィルタを備えたメガネがあると便利である。
【先行技術文献】
【特許文献】
【０００５】
【特許文献１】特開２００７−１３０３３３号公報
【特許文献２】特開２００５−６９８０７号公報
【発明の概要】
【発明が解決しようとする課題】
【０００６】
本発明の目的は、使い勝手のよい歯垢観察メガネを提供することにある。
【課題を解決するための手段】
【０００７】
本発明による歯垢観察メガネは、紫光を出すＬＥＤと、前記ＬＥＤの前方側を覆い３８０〜４５０ｎｍの波長を通過させるバンドパスフィルタとからなる光源部と、充電可能に構成され、前記ＬＥＤに給電する電池部と、前記ＬＥＤの点灯と滅灯を行なうオンオフスイッチを含む制御部と、メガネのレンズ部を構成し、５００ｎｍより長い波長の光を透過させ、５００ｎｍより短い波長の光を遮断するロングパスフィルタと、が備えられることを特徴とする。
【０００８】
前記ロングパスフィルタは、２段階の波形の立ち上がりの部分を有することを特徴とする。
【０００９】
歯の画像を撮像するカメラがさらに設けられ、撮像した画像がパソコンに送信されることを特徴とする。
【発明の効果】
【００１０】
本発明による歯垢観察メガネによれば、
（１）紫光を出すＬＥＤを使用し、ＬＥＤの３８０ｎｍより短い波長の紫外光と、４５０ｎｍ以上の青色光が出ないようバンドパスフィルタを設けたので、照射光が安全な３８０〜４５０ｎｍの範囲内にある。
（２）ＬＥＤ光が目などに向けられたとしても紫外光や青色光がバンドパスフィルタでカットされているので安全である。
（３）メガネには、５００ｎｍより長い波長の光を透過させ、５００ｎｍより短い波長の光を遮断するロングパスフィルタを備えたので、歯を観察する際、紫外光や青色光が目に入ることがなく安全である。
（４）見えにくいとされる歯垢や口内細菌が出す代謝物質は、オレンジ色〜赤色〜ピンク色に見ることができる。虫歯の場合は緑色〜茶色に見ることができる。
（５）メガネに光源部と、電源部と、制御部からなるＬＥＤの光源を組み込んだので、両手を自由に使用できる。
【００１１】
ロングパスフィルタの立ち上がり波形を２段階としたので、ロングパスフィルタを通過した後の光を観察する場合、光のホワイトバランスが改善され、鮮明に色が観察できる。
【００１２】
歯の画像を撮像するカメラを設けたので、撮像した画像をパソコンに送信することができる。パソコンに送って時間をかけて画像を観察できる。また、歯のケアサービスを提供している歯科医に送信して、判定を仰ぐことができる。
【図面の簡単な説明】
【００１３】
【図１】本発明による歯垢観察メガネの斜視図である。構成例１
【図２】ＬＥＤを発光させるための回路図である。
【図３】バンドパスフィルタの波形を示すグラフである。
【図４】ロングパスフィルタの波形を示すグラフである。
【図５】本発明による歯垢観察器で歯を観察してもらう場合の説明図である。
【図６】本発明による歯垢観察メガネの斜視図である。構成例２
【図７】本発明による歯垢観察器で歯を自分で観察する場合の説明図である。
【発明を実施するための形態】
【００１４】
以下、図面を参照して、本発明による歯垢観察メガネを詳しく説明する。
【実施例】
【００１５】
図１は、本発明による歯垢観察メガネ１００の斜視図である。歯垢観察メガネ１００（構成例１）は、両側のテンプル１、１と、ヒンジ２、２を介して連結された前側のフロント４からなる。フロント４は、目の前方を覆うレンズ部５や鼻あて３を含む。フロント４の上部には光源部１３が設けられる。光源部１３は、複数の紫光を出すＬＥＤ９と、ＬＥＤ９の前方側を覆って、３８０〜４５０ｎｍの波長を通過させるバンドパスフィルタ１０からなる。光源部１３は、傾斜角度が調整可能なネジ部（図示せず）を有する。レンズ部５は、５００ｎｍより長い波長の光を透過させ、５００ｎｍより短い波長の光を遮断するロングパスフィルタ１４で覆われる。ガラス製のロングパスフィルタを使用してもよい。一方のテンプル１には、電池部１１が組み込まれる。電池部１１は、ＬＥＤ９に給電する電池８と、充電時に電池が破損しないように保護する保護回路１９と、電池８の充電を行なう充電端子１８と、を備える。他方のテンプル１には、制御部１２が組み込まれる。制御部１２には、オンオフスイッチ６、電源制御素子７を含む。
【００１６】
図２は、ＬＥＤ９を発光させるための回路図である。この回路は、点線で囲む、電池部１１と、制御部１２と、光源部１３からなる。電池８はリチウム電池とすることができる。電池８を充電する時、電池８が過充電で破損しないよう保護回路１９が設けられる。オンオフスイッチ６は、オンでＬＥＤ９が点灯し、もう一度押すとＬＥＤ９が滅灯する。光源部１３は、複数のＬＥＤ９が搭載されており、照射光の出る前方側がバンドパスフィルタ１０で覆われる。バンドパスフィルタ１０は、３８０〜４５０ｎｍの波長を通過させる。ＬＥＤ９は紫光を発光するが、例えば３７０ｎｍの紫外光の波長を含んでいてもカットできる。例えば４６０ｎｍの青色光もカットされる。照射光は、目などに安全な３８０〜４５０ｎｍの波長のみが通過される。
【００１７】
図３は、バンドパスフィルタ１０の波形を示すグラフである。バンドパスフィルタ１０は、３８０〜４５０ｎｍの波長を通過させる。すなわち３８０ｎｍより波長の短い紫外光や、４５０ｎｍより波長の長い青色光がカットできる。細胞に悪い影響を与える可能性のある紫外光及び目の網膜に悪い影響を与える可能性のある青色光を出さないので、安全であり、家庭用にも歯科医用にも使用できる。
【００１８】
図４は、ロングパスフィルタ１４の波形を示すグラフである。（Ａ）のロングパスフィルタ１４は、矢印で示す約５００ｎｍより長い波長の光はすべて透過させ、矢印で示す波長より短い波長の光は遮断する。紫外光や青色光などはカットでき、目には入らないようにできる。虫歯の場合の緑色〜茶色として観察でき、歯垢や口内細菌が出す代謝物質はオレンジ色〜赤色〜ピンク色として観察できる。（Ｂ）のロングパスフィルタは、波形の立ち上がりの部分に光を透過率約３０％で通過させる段部を設け、２段階で立ちあげている。このようにすると、ロングパスフィルタ１４を通過した後の光を観察する場合、光のホワイトバランスが改善され、鮮明に色が観察できる。
【００１９】
図５は、本発明による歯垢観察器１００で歯を観察してもらう場合の説明図である。母親が子供に口１６をあけさせ、歯を観察するような場合にあたる。歯垢１７は照射光に対して特性のある周波数を持った光を発する。この光を歯垢観察メガネ１００のロングパスフィルタ１４を介して目１５で観察する。歯垢１７や口内細菌が出す代謝物質（酸など）はオレンジ色〜赤色〜ピンク色として観察できる。なお、虫歯の場合、緑色〜茶色として観察できる。
【００２０】
図６は、本発明による歯垢観察メガネ１００（構成例２）の斜視図である。図１の構成例１は、光源部１３をフロント４の上部に設置し、電池部１１をメガネの一方のテンプル１に設置し、制御部１２を他方のテンプル１に設置した。このような分散設置はせず、光源部１３と電池部１１と制御部１２を横長収納ケースにまとめ光源ユニット３０としてフロント４の上部に設置したものである。光源ユニット３０は、クリップ２１でメガネに着脱可能としたので、取り外して使用すれば歯の照射しにくい部位に照射することも可能になる。
【００２１】
図７は、本発明による歯垢観察器１００（構成例２）で歯を自分で観察する場合の説明図である。メガネから取り外した光源ユニット３０のバンドパスフィルタ１０を出た紫光の照射光は、鏡２０で反射され歯に照射される。照射光は歯垢１７にあたると励起され、特性のある周波数を持った光を発する。この光を鏡２０で反射させ、歯垢観察メガネ１００のロングパスフィルタ１４を介し、口１６を開け、自分の目１５で自分の歯を観察する。歯垢１７や口内細菌が出す代謝物質はオレンジ色〜赤色〜ピンク色として観察できる。虫歯の場合、緑色〜茶色として観察できる。
【００２２】
近くに歯科医がなく診察に行けない場合がある。そのような場合、歯垢観察器１００のロングパスフィルタ１４を介して見える画像を、携帯のカメラやハンディカメラなどで撮像し、歯のケアサービスを提供している歯科医にメールで送信し、判定を仰ぐことができる。最近では虫歯より歯垢に対する関心が高まっており、歯科医によるきめの細かい対応が可能になる。撮像した画像を自分のパソコンに送信して詳しく観察することもできる。
【産業上の利用可能性】
【００２３】
本発明によれば、人体に有害な影響を与える可能性のある光を出さないので、小型で安全な家庭用の歯垢観察メガネとして好適である。
【符号の説明】
【００２４】
１    テンプル
２    ヒンジ
３    鼻あて
４    フロント
５    レンズ部
６    オンオフスイッチ
７    電源制御素子
８    電池
９    ＬＥＤ
１０    バンドパスフィルタ
１１    電池部
１２    制御部
１３    光源部
１４    ロングパスフィルタ
１５    目
１６    口
１７    歯垢
１８    充電端子
１９    保護回路
２０    鏡
２１    クリップ
３０    光源ユニット
１００    歯垢観察メガネ
【図１】
2017093479.tif 000003
【図２】
2017093479.tif 000004
【図３】
2017093479.tif 000005
【図４】
2017093479.tif 000006
【図５】
2017093479.tif 000007
【図６】
2017093479.tif 000008
【図７】
2017093479.tif 000009
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
紫光を出すＬＥＤと、前記ＬＥＤの前方側を覆い３８０〜４５０ｎｍの波長を通過させるバンドパスフィルタとからなる光源部と、
充電可能に構成され、前記ＬＥＤに給電する電池部と、
前記ＬＥＤの点灯と滅灯を行なうオンオフスイッチを含む制御部と、
メガネのレンズ部を覆い、５００ｎｍより長い波長の光を透過させ、５００ｎｍより短い波長の光は遮断するロングパスフィルタと、
前記光源部と前記電池部と前記制御部が収納され、クリップでメガネのフロント上部に着脱可能に設置される収納ケースと、
が備えられることを特徴とする歯垢観察メガネ。
【請求項２】
紫光を出すＬＥＤと、前記ＬＥＤの前方側を覆い３８０〜４５０ｎｍの波長を通過させるバンドパスフィルタとからなる光源部と、
充電可能に構成され、前記ＬＥＤに給電する電池部と、
前記ＬＥＤの点灯と滅灯を行なうオンオフスイッチを含む制御部と、
メガネのレンズ部を覆い、５００ｎｍ以下の青色光の一部を通過させるため５００ｎｍで透過率が３０％となるように立ち上げ、その後透過率をさらに上昇させて５００ｎｍ以上の光を通過させるように立ち上げる２段階の立ち上げ波形を有するロングパスフィルタと、
前記光源部と前記電池部と前記制御部が収納され、クリップでメガネのフロント上部に着脱可能に設置される収納ケースと、
が備えられることを特徴とする歯垢観察メガネ。
【手続補正２】
【補正対象書類名】明細書
【補正対象項目名】０００７
【補正方法】変更
【補正の内容】
【０００７】
本発明による歯垢観察メガネは、紫光を出すＬＥＤと、前記ＬＥＤの前方側を覆い３８０〜４５０ｎｍの波長を通過させるバンドパスフィルタとからなる光源部と、充電可能に構成され、前記ＬＥＤに給電する電池部と、前記ＬＥＤの点灯と滅灯を行なうオンオフスイッチを含む制御部と、メガネのレンズ部を覆い、５００ｎｍより長い波長の光を透過させ、５００ｎｍより短い波長の光は遮断するロングパスフィルタと、前記光源部と前記電池部と前記制御部が収納され、クリップでメガネのフロント上部に着脱可能に設置される収納ケースと、
が備えられることを特徴とする。
【手続補正３】
【補正対象書類名】明細書
【補正対象項目名】０００８
【補正方法】変更
【補正の内容】
【０００８】
本発明による他の歯垢観察メガネは、紫光を出すＬＥＤと、前記ＬＥＤの前方側を覆い３８０〜４５０ｎｍの波長を通過させるバンドパスフィルタとからなる光源部と、充電可能に構成され、前記ＬＥＤに給電する電池部と、前記ＬＥＤの点灯と滅灯を行なうオンオフスイッチを含む制御部と、メガネのレンズ部を覆い、５００ｎｍ以下の青色光の一部を通過させるため５００ｎｍで透過率が３０％となるように立ち上げ、その後透過率をさらに上昇させて５００ｎｍ以上の光を通過させるように立ち上げる２段階の立ち上げ波形を有するロングパスフィルタと、前記光源部と前記電池部と前記制御部が収納され、クリップでメガネのフロント上部に着脱可能に設置される収納ケースと、が備えられることを特徴とする。
【手続補正４】
【補正対象書類名】明細書
【補正対象項目名】０００９
【補正方法】削除
【補正の内容】